(57)【要約】      （修正有）【課題】マスク着用時における眼鏡の曇り止めのための手段を提供する。【解決手段】長方形状の良通気性素材を、その長手方向に反復折り返して多層構造を形成した多層折曲部材１０を設け、該部材適所に適宜幅の粘着層を設けたことを特徴とする。マスク内面上部に多層折曲部材が粘着されて、マスク上下に所定幅を持って水平に位置し、マスク着用によるマスク中央からの折曲にて、該部材は変形してふくらみ、このふくらみが顔面に接触するので、呼気のマスク上方からの漏出は阻止され、着用眼鏡の曇りを防止することができる。また、このふくらみは鼻孔の上方に位置して、鼻孔からの呼気が折曲片を押し上げる作用が生ずるので、上記の作用と併せて折曲片は顔面に軽い押圧状態にて接することとなり、より良好なる眼鏡の曇り止め効果を発揮することができる。【選択図】図４
0003167627.tif 000002
【実用新案登録請求の範囲】
【請求項１】
長方形状の良通気性素材を、その長手方向に反復折り返して多層構造を形成した多層折曲部材を設け、該部材適所に適宜幅の粘着層を設けたことを特徴とする呼気上方漏出防止のためのマスク用添設部材。
【請求項２】
マスク内面上部に、請求項１の添設部材を設けてなるマスク。
【考案の詳細な説明】
【技術分野】
【０００１】  この考案は、マスクからの呼気上方漏出を防止することにて、着用眼鏡の曇り止め効果を有する、マスク用の添設部材と、該部材を有するマスクに関する。
【背景技術】
【０００２】  従来より、眼鏡の曇り止め効果を得るためのマスクが市販されているが、本案にて示すように、多層折曲部材を用いたものは現在のところ見あたらない。
【考案の開示】
【考案が解決しようとする課題】
【０００３】  マスクは、外出時に装着して用いられ、のど、鼻、呼吸器官等の保護効能があり、頻繁に利用されている。眼鏡着用者はマスクと併用することになるが、外気温の低いときは眼鏡の曇りが問題となる。すなわち、呼気中に含まれる水分が低温外気に触れて水蒸気化し、これが眼鏡のレンズに触れて曇らせてしまうのである。これを防ぐために、眼鏡の曇り止め効果を有するマスクがいくつか市販されている。
例えば、マスク内面上部に湾曲板状のスポンジを突出して設けたものがある。しかし、このスポンジが顔面を押圧するので装着時に違和感があり、また、材質のにおいも気になり、不快感が生じてしまう。あるいはノーズフィッターを用いたものがある。これは針金や樹脂などをマスクの上部に内包させ、手で顔面形状に合わせるように変形させて、マスク内面と顔面との距離を微少とするものであるが、顔面にピッタリとフィットさせることが難しく、十分な効果は得られない。
本案は、以上のような従来からのマスクによる眼鏡の曇り止め手段に関わる課題を解決するために考案されたもので、柔軟性と通気性を有する多層折曲部材構造を用いることにて、既述の問題を解決するべく開発されたものである。
【課題を解決するための手段】
【０００４】  課題を解決する手段として本案は以下の構成とした。
すなわち、本案の一つは、長方形状の良通気性素材を、その長手方向に反復折り返して多層構造を形成した多層折曲部材を設け、該部材適所に適宜幅の粘着層を設けたことを特徴とする呼気上方漏出防止のためのマスク用添設部材である。本案の他の一つは、マスク内面上部に、上述の添設部材を設けてなるマスクである。
【考案の効果】
【０００５】  本案によれば、マスク内面上部に多層折曲部材が粘着されて、マスク上下に所定幅を持って水平に位置し、マスク着用によるマスク中央からの折曲にて、該部材は変形してふくらみ、このふくらみが顔面に接触するので、呼気のマスク上方からの漏出は阻止され、着用眼鏡の曇りを防止することができる。また、このふくらみは鼻孔の上方に位置して、鼻孔からの呼気が折曲片を押し上げる作用が生ずるので、上記の作用と併せて折曲片は顔面に軽い押圧状態にて接することとなり、より良好なる眼鏡の曇り止め効果を発揮することができる。
【考案を実施するための最良の形態】
【０００６】  以下、本考案の実施形態について説明する。
図において、１０は添設部材としての多層折曲部材である。本部材は不織布等の良通気性素材を用いて形成される。該素材を長方形片として、その長手方向に蛇腹状に反復折り返して形成され、図３にて示すように、第１折曲片１が設けられ、これに続いて第２折曲片２および第３折曲片３が設けられる。この第３折曲片は他の折曲片より数ミリメートルほど下方にその下端が位置する。第３折曲片の上部外面には所定幅の粘着層４が本部材の左端から右端にかけて設けられる。この多層折曲部材は、使用素材の性質によりその厚さ方向に弾力を有して各折曲片間は少しのふくらみを有している。本部材の特徴としては、中央折曲時に折曲材の変形がなされる点であり、これについては後述する。
次に、本案の使用について説明する。
まず、図４のごとく、本案品をマスク内面上部に粘着させる。一般のマスク着用時にはマスクは顔面曲面に近似的に沿った形状に変形する。つまり、鼻が顔面より突出しているが、マスクはこの鼻の中程からあごにかけて顔面を覆うことになり、鼻の両サイドのマスク部分は顔面より少し離れて、ここから呼気が上方流出するのである。
しかし、本案利用時は図５のように、多層折曲部材がこの間隙を覆うのである。
本案品は多層折曲にて少しの厚さを有しており、これがマスク変形に伴って中央より折曲されると、中央位置と端部位置の距離が各折曲片により異なってくる。つまり、より内側の折曲片の端部間距離はマスク本体や他の折曲片より短くなるために、この折曲片の中央近傍は内部に向けて張り出すのである。他の折曲片も同様に張り出すために、これらの相乗効果にて図のように、この張り出し部分がマスクと顔面との隙間を塞ぐのであり、これにて呼気の上方漏洩が防止され、眼鏡の曇り止め効果が発揮される。
なお、呼気が各折曲片間を通過するときに、この張り出し部分をより張り出す方向に移動させる効果が現れて、さらに顔面に対する弱押圧効果となって上記漏洩防止効果が増加する。【０００７】  図６〜図８は本案の他例を示すものである。図６及び図７は、適度の形状保持性と柔軟性を有する薄合成樹脂材によるノーズフィッター５を折曲片上部に設け、この上に粘着層を設けた例で、このノーズフィッターを加圧して顔面形状にフィットさせることにて、さらなる呼気漏洩防止効果の向上を図ったものである。
図８は第１折曲片上方を接着させ、ノーズフィッター幅を大きくしてその上部のみ固着としたもので、マスク面中程と顔面との距離を大として、呼吸によるマスクのへこみ移動を防止して、呼吸をより容易にすることをねらったものである。なお、図７の例にてもそれなりのへこみ防止効果が期待される。既述の例においては、第３折曲片を他の折曲片より幅広にして下方に伸びるものとしており、呼気をこの部分にてより多くキャッチして、各折曲片の顔面方向への移動を容易とし、本案の目的効果をさらに大なるものとしている。
以上、本案について記したが、本案は多層折曲構造を用いたところにその特徴を有するものである。従来品は既述のごとく呼気のマスクからの上方漏出防止効果や使用感において難があったが、本案にてこれが解消されるものとなったのである。
なお、例示では３つの折曲片にて構成したが、この折曲片数は状況に応じて適宜に設定できる。また、多重折り返しによる折曲片の他に、所定形シートの上部のみを相互固着して形成してもよい。記述例では第３折曲片を下に長く設けたが、場合によっては第１折曲片を長くして形成してもよい。本案は、折曲部材のみを販売して購入者がマスクにセットして用いるものとする以外に、あらかじめマスクにセット済みのものを販売してもよい。
以上のごとく、本案によって眼鏡の曇り止めに効果大なる物品を得ることができる。
【図面の簡単な説明】
【０００８】
【図１】  本考案の正面図
【図２】  本考案の拡大右側面図（折曲片密着時）
【図３】  本考案の拡大右側面図（折曲片非密着時）
【図４】  本考案の取り付け状態図（マスク裏面）
【図５】  本考案の使用状態説明図
【図６】  本考案の他例説明図
【図７】  本考案の他例説明図
【図８】  本考案の他例説明図
【符号の説明】
【０００９】  １  第１折曲片
２  第２折曲片
３  第３折曲片
４  粘着層
５  ノーズフィッター
６  マスク
７  顔面
８  鼻部
１０  多層折曲部材
【図１】
0003167627.tif 000003
【図２】
0003167627.tif 000004
【図３】
0003167627.tif 000005
【図４】
0003167627.tif 000006
【図５】
0003167627.tif 000007
【図６】
0003167627.tif 000008
【図７】
0003167627.tif 000009
【図８】
0003167627.tif 000010